(57)【要約】【課題】印刷検査に用いるフォント画像データの記憶量を削減する。【解決手段】印刷検査システムのデータ処理装置２は、検査対象である印刷物の印刷データをデータ入力装置１から入力し、入力した印刷データから印刷位置データ、文字コードデータ及び文字印刷条件データを抽出し、印刷データから抽出した印刷位置データ、文字コードデータ及び文字印刷条件データを記憶装置３に記憶し、印刷データから抽出した文字コードデータ及び文字印刷条件データに対応するフォント画像データを一文字単位で生成し、生成した一文字単位のフォント画像データを、同一のフォント画像データと重複しないように記憶装置３に記憶する。【選択図】図１
2009152851.tif 000002
【特許請求の範囲】
【請求項１】
印刷物の検査を行う印刷検査システムであって、
検査対象である印刷物の印刷データをデータ入力装置と、
前記データ入力装置で入力された印刷データを処理するデータ処理装置と、
所定のデータを記憶する記憶装置と、
検査対象である印刷物の画像データを入力する画像入力装置と、
前記印刷データ及び画像データに基づいて所定の検査処理を行う検査装置と、を備え、
前記データ処理装置が、検査対象である印刷物の印刷データを前記データ入力装置から入力するとともに、入力した印刷データから印刷位置データ、文字コードデータ及び文字印刷条件データを抽出し、印刷データから抽出した印刷位置データ、文字コードデータ及び文字印刷条件データを前記記憶装置に記憶し、印刷データから抽出した文字コードデータ及び文字印刷条件データに対応するフォント画像データを一文字単位で生成し、生成した一文字単位のフォント画像データを、同一のフォント画像データと重複しないように前記記憶装置に記憶し、
前記検査装置が、検査対象である印刷物の画像データを前記画像入力装置から入力するとともに、入力した画像データに係る印刷位置データ、文字コードデータ及び文字印刷条件データと、この文字コードデータ及び文字印刷条件データに対応するフォント画像データを前記記憶装置から入力し、入力した印刷位置データ、文字コードデータ、文字印刷条件データ及びフォント画像データを用いて、印刷物の画像データを検査する
ことを特徴とする印刷検査システム。
【請求項２】
前記文字印刷条件データが、
印刷する文字のフォント、大きさ及び形状に係る印刷条件を含み、
前記データ処理装置が、
前記文字印刷条件データに含まれるフォント、大きさ及び形状に係る印刷条件が満たされるフォント画像データを一文字単位で生成する
請求項１記載の印刷検査システム。
【請求項３】
前記データ処理装置が、
生成したフォント画像データを一文字単位で前記記憶装置に記憶するにあたり、一文字単位のフォント画像データを、その文字コード、フォント、大きさ及び／又は形状をもとに並び換えて記憶する
請求項１又は２記載の印刷検査システム。
【請求項４】
前記データ処理装置が、
入力した印刷データから検査管理番号、印刷位置データ、文字コードデータ及び文字印刷条件データを抽出し、
印刷データから抽出した印刷位置データ、文字コードデータ及び文字印刷条件データを、検査管理番号に関連付けて前記記憶装置に記憶し、
前記検査装置が、
入力した画像データに含まれる検査管理番号を認識し、
認識した検査管理番号に関連付けされた、印刷位置データ、文字コードデータ及び文字印刷条件データと、この文字コードデータ及び文字印刷条件データに対応するフォント画像データを前記記憶装置から入力する
ことを特徴とする請求項１〜３のいずれかに記載の印刷検査システム。
【請求項５】
前記データ処理装置が、
検査対象である印刷物の印刷データから抽出した印刷位置データ、文字コードデータ及び文字印刷条件データと、この文字コードデータ及び文字印刷条件データに対応するフォント画像データを予め前記記憶装置に記憶し、
前記検査装置が、
検査対象である印刷物の画像データに係る印刷位置データ、文字コードデータ、文字印刷条件データ及びフォント画像データを任意のタイミングで前記記憶装置から読み込む
請求項１〜４のいずれかに記載の印刷検査システム。
【請求項６】
検査対象である印刷物の印刷データをデータ入力装置と、前記データ入力装置で入力された印刷データを処理するデータ処理装置と、所定のデータを記憶する記憶装置と、検査対象である印刷物の画像データを入力する画像入力装置と、前記印刷データ及び画像データに基づいて所定の検査処理を行う検査装置と、を用いて印刷物の検査を行う印刷検査方法であって、
前記データ処理装置が、
検査対象である印刷物の印刷データを前記データ入力装置から入力し、
入力した印刷データから印刷位置データ、文字コードデータ及び文字印刷条件データを抽出し、
印刷データから抽出した印刷位置データ、文字コードデータ及び文字印刷条件データを前記記憶装置に記憶し、
印刷データから抽出した文字コードデータ及び文字印刷条件データに対応するフォント画像データを一文字単位で生成し、
生成した一文字単位のフォント画像データを、同一のフォント画像データと重複しないように前記記憶装置に記憶し、
前記検査装置が、
検査対象である印刷物の画像データを前記画像入力装置から入力し、
入力した画像データに係る印刷位置データ、文字コードデータ及び文字印刷条件データと、この文字コードデータ及び文字印刷条件データに対応するフォント画像データを前記記憶装置から入力し、
入力した印刷位置データ、文字コードデータ、文字印刷条件データ及びフォント画像データを用いて、印刷物の画像データを検査する
ことを特徴とする印刷検査方法。
【請求項７】
前記文字印刷条件データが、
印刷する文字のフォント、大きさ及び形状に係る印刷条件を含み、
前記データ処理装置が、
前記文字印刷条件データに含まれるフォント、大きさ及び形状に係る印刷条件が満たされるフォント画像データを一文字単位で生成する
請求項６記載の印刷検査方法。
【発明の詳細な説明】
【技術分野】
【０００１】
本発明は、印刷物の検査を行う印刷検査システム及び印刷検査方法に関し、特に、クレジットカードの利用明細書などのような大量の印刷物を対象とする大規模な印刷検査に適した印刷検査システム及び印刷検査方法に関する。
【背景技術】
【０００２】
印刷物の検査を行う印刷検査システムが知られている。
例えば、特許文献１に記載された印刷検査システムは、検査対象である印刷物の印刷時に使用した印刷イメージデータと、印刷された印刷物をカメラで撮像した画像データとの間でマッチング処理を行い、その適合率にもとづいてストリーカなどの印刷不良を検出するようになっている。
【０００３】
一方、特許文献２に記載された印刷検査システムは、印刷時に使用した印刷データから抽出した文字コードデータ及び文字印刷条件データに対応するフォント画像データを生成し、生成したフォント画像データを用いて、印刷物の画像データを検査するようになっている。
具体的には、生成したフォント画像データを基準とするマッチング処理（ＯＣＲ）により、印刷物の画像データに含まれる文字を認識し、認識した文字コードデータが、印刷データの文字コードデータと一致するか否かにもとづいて合否判定を行うようになっている。
【０００４】
このような印刷検査システムでは、印刷データ（コードデータ）に比べてデータサイズが大きい印刷イメージデータを記憶することなく、必要に応じてフォント画像データを生成し、印刷検査を実行することができるので、大容量記憶装置を含む高価なシステム構成でなくとも、大規模な印刷検査を実施できるという利点がある。
【０００５】
【特許文献１】特開平１１−０７８１８３号公報
【特許文献２】特開２００３−３０５９２７号公報
【発明の開示】
【発明が解決しようとする課題】
【０００６】
しかしながら、特許文献２に記載された印刷検査システムでは、印刷データから抽出した文字コードデータ及び文字印刷条件データに対応するフォント画像データを生成するにあたり、フォント画像データをページ単位で生成しているので、検査する印刷物のページが大きくなると、フォント画像データのデータサイズも大きくなってしまい、特に、検査する印刷物の全ページ分のフォント画像データを予め生成して記憶する場合、ページの大きさやページ数によっては、フォント画像データの記憶量が膨大になってしまうという問題がある。
【０００７】
本発明は、上記の事情にかんがみなされたものであり、印刷データから抽出した文字コードデータ及び文字印刷条件データに対応するフォント画像データを生成し、生成したフォント画像データを用いて、印刷物の画像データを検査するものでありながら、同一フォント画像データの重複記憶を回避し、フォント画像データの記憶量を大幅に削減することができる印刷検査システム及び印刷検査方法の提供を目的とする。
【課題を解決するための手段】
【０００８】
上記目的を達成するため本発明の印刷検査システムは、印刷物の検査を行う印刷検査システムであって、検査対象である印刷物の印刷データをデータ入力装置と、前記データ入力装置で入力された印刷データを処理するデータ処理装置と、所定のデータを記憶する記憶装置と、検査対象である印刷物の画像データを入力する画像入力装置と、前記印刷データ及び画像データに基づいて所定の検査処理を行う検査装置と、を備え、前記データ処理装置が、検査対象である印刷物の印刷データを前記データ入力装置から入力するとともに、入力した印刷データから印刷位置データ、文字コードデータ及び文字印刷条件データを抽出し、印刷データから抽出した印刷位置データ、文字コードデータ及び文字印刷条件データを前記記憶装置に記憶し、印刷データから抽出した文字コードデータ及び文字印刷条件データに対応するフォント画像データを一文字単位で生成し、生成した一文字単位のフォント画像データを、同一のフォント画像データと重複しないように前記記憶装置に記憶し、前記検査装置が、検査対象である印刷物の画像データを前記画像入力装置から入力するとともに、入力した画像データに係る印刷位置データ、文字コードデータ及び文字印刷条件データと、この文字コードデータ及び文字印刷条件データに対応するフォント画像データを前記記憶装置から入力し、入力した印刷位置データ、文字コードデータ、文字印刷条件データ及びフォント画像データを用いて、印刷物の画像データを検査する構成としてある。
【０００９】
また、本発明の印刷検査方法は、検査対象である印刷物の印刷データをデータ入力装置と、前記データ入力装置で入力された印刷データを処理するデータ処理装置と、所定のデータを記憶する記憶装置と、検査対象である印刷物の画像データを入力する画像入力装置と、前記印刷データ及び画像データに基づいて所定の検査処理を行う検査装置と、を用いて印刷物の検査を行う印刷検査方法であって、前記データ処理装置が、検査対象である印刷物の印刷データを前記データ入力装置から入力し、入力した印刷データから印刷位置データ、文字コードデータ及び文字印刷条件データを抽出し、印刷データから抽出した印刷位置データ、文字コードデータ及び文字印刷条件データを前記記憶装置に記憶し、印刷データから抽出した文字コードデータ及び文字印刷条件データに対応するフォント画像データを一文字単位で生成し、生成した一文字単位のフォント画像データを、同一のフォント画像データと重複しないように前記記憶装置に記憶し、前記検査装置が、検査対象である印刷物の画像データを前記画像入力装置から入力し、入力した画像データに係る印刷位置データ、文字コードデータ及び文字印刷条件データと、この文字コードデータ及び文字印刷条件データに対応するフォント画像データを前記記憶装置から入力し、入力した印刷位置データ、文字コードデータ、文字印刷条件データ及びフォント画像データを用いて、印刷物の画像データを検査する方法としてある。
【発明の効果】
【００１０】
本発明によれば、印刷データから抽出した文字コードデータ及び文字印刷条件データに対応するフォント画像データを生成し、生成したフォント画像データを用いて、印刷物の画像データを検査するものでありながら、同一フォント画像データの重複記憶を回避し、フォント画像データの記憶量を大幅に削減することができる。
【発明を実施するための最良の形態】
【００１１】
以下、本発明に係る印刷検査システム及び印刷検査方法の好ましい実施形態について、図面を参照して説明する。
［第一実施形態］
まず、本発明の第一実施形態に係る印刷検査システムについて、図１〜図５を参照して説明する。
図１は、本発明の第一実施形態に係る印刷検査システムの構成を示すブロック図である。
この図に示すように、第一実施形態の印刷検査システムには、検査対象である印刷物の印刷時に使用した印刷データを他のコンピュータシステムから入力するデータ入力装置１と、プログラム制御により動作し、印刷検査に係る各種のデータ処理を行うデータ処理装置２と、印刷検査に係る各種のデータを記憶する記憶装置３と、検査対象である印刷物の画像データを入力するスキャナ、カメラなどの画像入力装置４と、プログラム制御により動作し、印刷検査を実行する検査装置５と、印刷検査の結果を出力するディスプレイ装置などの出力装置６とが含まれている。
なお、データ入力装置１、画像入力装置３及び出力装置６としては、汎用の装置が用いられるので、詳細な説明は省略する。
【００１２】
データ処理装置２は、データ処理手段２１を備える。
データ処理手段２１は、データ入力装置１から印刷データを入力し、所定のデータ処理を行う。
具体的に説明すると、データ処理手段２１は、まず、検査対象である印刷物の印刷時に使用した印刷データ（コードデータ）をデータ入力装置１から入力し、入力した印刷データから検査管理番号、印刷位置データ、文字コードデータ及び文字印刷条件データを抽出する。
【００１３】
ここで、検査管理番号とは、印刷物の各ページの所定位置に印刷される識別番号であり、例えば、印刷物識別番号とページ識別番号とを組み合せた文字列とする。このようにすると、検査管理番号にもとづいて、検査する印刷物及びページを特定できるので、検査対象の誤認を防止できるだけでなく、ページの抜け、重複などを容易に検出することができる。
印刷位置データとは、印刷物における文字（検査管理番号を含む）の印刷位置を特定するデータであり、例えば、ページの左上端を基準（０，０）として、文字列の印刷開始点を示すＸＹ座標データ（Ｘ，Ｙ）とする。
文字コードデータとは、印刷する文字（文字種）を特定するデータであり、例えば、ＪＩＳコードなどの汎用文字コードとする。
文字印刷条件データとは、印刷物における文字の印刷条件を特定するデータであり、例えば、印刷する文字列単位又は文字単位でフォント（ゴシック、明朝など）、大きさ（１０ポイント、１２ポイントなど）及び形状（太字、斜体など）を指定している。
【００１４】
データ処理手段２１は、入力した印刷データから検査管理番号、印刷位置データ、文字コードデータ及び文字印刷条件データを抽出したら、抽出した印刷位置データ、文字コードデータ及び文字印刷条件データを、検査管理番号に関連付けて記憶装置３に記憶する。
例えば、印刷物における検査管理番号の印刷位置データや、印刷物のページ数データを記憶装置３の検査処理記憶部３１に記憶し、検査管理番号を記憶装置３の検査管理番号記憶部３２に記憶し、さらに、印刷位置データ、文字コードデータ及び文字印刷条件データを記憶装置３の検査データ記憶部３３に記憶する。
【００１５】
また、データ処理手段２１は、印刷データから抽出した文字コードデータ及び文字印刷条件データに対応するフォント画像データを生成し、生成したフォント画像データを記憶装置３のフォント画像記憶部３４に記憶する。
このフォント画像データは、印刷物の画像データを検査する際に使用されるものであり、例えば、生成したフォント画像データを基準とするマッチング処理（ＯＣＲ）により、印刷物の画像データに含まれる文字を認識し、認識した文字コードデータが、印刷データの文字コードデータと一致するか否かにもとづいて合否判定を行うことができる。
【００１６】
そして、データ処理手段２１は、文字コードデータ及び文字印刷条件データに対応するフォント画像データを生成して記憶装置３のフォント画像記憶部３４に記憶するにあたり、フォント画像データを一文字単位で生成し、生成した一文字単位のフォント画像データを、同一のフォント画像データと重複しないように記憶装置３のフォント画像記憶部３４に記憶する。
このようにすると、生成したフォント画像データを用いて、印刷物の画像データを検査するにあたり、同一フォント画像データの重複記憶を回避し、フォント画像データの記憶量を大幅に削減することができる。
【００１７】
例えば、印刷物の各ページ１〜３に下記に示される文字を印刷する場合、
ページ１：文字（ＡＢＣＤＥＦＧＨＩ）
ページ２：文字（ＡＢＣＤＥＦＧＨＩＪＫＬＭ）
ページ３：文字（ＡＢＣＤＥＦＧＨＩＪＫＬＭＮＯＰＱ）
これらの文字のフォント画像をページ単位で記憶すると、その記憶する量（フォント画像記憶個数）は、下記に示すように３６個となる。
フォント画像記憶個数＝Ａ×３＋Ｂ×３＋Ｃ×３＋Ｄ×３＋Ｅ×３＋Ｆ×３＋Ｇ×３＋Ｈ×３＋Ｉ×３＋Ｊ×２＋Ｋ×２＋Ｌ×２＋Ｍ×２＋Ｎ＋Ｏ＋Ｐ＋Ｑ＝３６個
【００１８】
一方、これらの文字のフォント画像を同一のフォント画像データと重複しないように一文字単位で記憶すると、その記憶する量（フォント画像記憶個数）は、下記に示すように１７個となり、大幅な記憶量の削減が可能になる。
フォント画像記憶個数＝Ａ＋Ｂ＋Ｃ＋Ｄ＋Ｅ＋Ｆ＋Ｇ＋Ｈ＋Ｉ＋Ｊ＋Ｋ＋Ｌ＋Ｍ＋Ｎ＋Ｏ＋Ｐ＋Ｑ＝１７個
【００１９】
さらに、データ処理手段２１は、文字コードデータ及び文字印刷条件データに対応するフォント画像データを生成して記憶装置３のフォント画像記憶部３４に記憶するにあたり、一文字単位のフォント画像データを、その文字コード、フォント、大きさ及び形状をもとに並び換えて記憶装置３のフォント画像記憶部３４に記憶する。
例えば、一文字単位のフォント画像データを、まず、文字コード（文字種）別に並び換え、ここで、同一文字コードのフォント画像データが複数存在する場合は、それらのフォント画像データをフォント別に並び換え、ここで、同一文字コードかつ同一フォントのフォント画像データが複数存在する場合は、それらのフォント画像データを大きさ別に並び換え、さらに、同一文字コードかつ同一フォントかつ同じ大きさのフォント画像データが複数存在する場合は、それらのフォント画像データを形状別に並び換える。
このようにすると、検査装置５が、文字コード、フォント、大きさ及び形状をもとに、記憶装置３のフォント画像記憶部３４から対応するフォント画像データを検索して読み込むにあたり、検索を高速化してフォント画像データの読み込み時間を短縮できる。
【００２０】
なお、データ処理装置２は、検査対象である印刷物の印刷データから抽出した印刷位置データ、文字コードデータ及び文字印刷条件データと、この文字コードデータ及び文字印刷条件データに対応するフォント画像データを記憶装置３に記憶するにあたり、そのタイミングは、検査装置５による検査の実行タイミングよりも十分に早いことが好ましい。
例えば、印刷データが印刷装置（図示せず）に送られるタイミングで、データ処理装置２に印刷データを入力し、この印刷データに関する検査データ及びフォント画像データを速やかに記憶装置３に記憶しておく。
このようにすると、検査装置５は、検査対象である印刷物の画像データに係る印刷位置データ、文字コードデータ、文字印刷条件データ及びフォント画像データを任意のタイミングで記憶装置３から読み込むことができるので、検査データ待ちの時間を無くして印刷検査の効率を向上させることができるだけでなく、検査装置５の台数、処理能力などの変更や変化に柔軟に適応することができる。
【００２１】
記憶装置３は、検査処理記憶部３１、検査管理番号記憶部３２、検査データ記憶部３３及びフォント画像記憶部３４を備える。
検査処理記憶部３１は、検査対象である帳票などの印刷物における検査管理番号の印刷位置データや印刷物のページ数を記憶する。
検査管理番号記憶部３２は、検査対象である印刷物の検査管理番号を記憶する。
検査データ記憶部３３は、検査対象である印刷物の印刷位置データ、文字コードデータ及び文字印刷条件データ（フォント、大きさ及び形状）を記憶する。これらの検査データは、記憶及び読み出しを容易にするために、検査管理番号に関連付けて記憶される。
フォント画像記憶部３４は、文字コードデータ及び文字印刷条件データ（フォント、大きさ及び形状）に対応して一文字単位で生成されたフォント画像データを、同一のフォント画像データが重複しないように一文字単位で記憶する。また、一文字単位のフォント画像データをフォント画像記憶部３４に記憶する際には、その検索や読出しを容易にするために、文字コード、フォント、大きさ及び形状をもとに並び換えて記憶する。
【００２２】
検査装置５は、検査管理番号認識手段５１、検査データ問い合わせ手段５２及び検査手段５３を備える。
検査管理番号認識手段５１は、検査対象である印刷物の画像データを画像入力装置４から入力するとともに、入力した画像データに含まれる検査管理番号を認識する。
検査データ問い合わせ手段５２は、検査管理番号認識手段５１で認識した検査管理番号が、記憶装置３の検査管理番号記憶部３２に登録されているか否かを検索する。認識した検査管理番号が登録されていれば、検査データ記憶部３３から対応する検査データ（印刷位置データ、文字コードデータ及び文字印刷条件データ）を読み込み、さらに、文字コードデータ及び文字印刷条件データに対応するフォント画像データを記憶装置３のフォント画像記憶部３４から読み込む。
検査手段５３は、検査データ問い合わせ手段５２が読み込んだ印刷位置データ、文字コードデータ、文字印刷条件データ及びフォント画像データを用いて、印刷物の画像データを検査する。
【００２３】
次に、本実施形態に係る印刷検査システムの動作（印刷検査方法）について、図２〜図３を参照して説明する。
図２は、本発明の第一実施形態に係る印刷検査システムのデータ処理手順を示すフローチャート、図３は、本発明の第一実施形態に係る印刷検査システムの検査処理手順を示すフローチャートである。
データ入力装置１に入力された印刷データは、データ処理装置２に出力される。
データ処理装置２のデータ処理手段２１は、印刷データを受け取り（図２のＳ１１）、印刷データから検査情報（検査管理番号の印刷位置データ及びページ数）を抽出して記憶装置３の検査処理記憶部３１に記憶する（図２のＳ１２）。
次に、データ処理手段２１は、印刷データから検査管理番号を抽出し（図２のＳ１３）、抽出した検査管理番号を記憶装置３の検査管理番号記憶部３２に記憶する（図２のＳ１４）。
次に、データ処理手段２１は、印刷データから検査対象となる印刷物の検査データ（印刷位置データ、文字コードデータ及び文字印刷条件データ）を抽出し（図２のＳ１５）、抽出したこれらの検査データを、検査管理番号に関連付けて記憶装置３の検査データ記憶部３３に記憶する（図２のＳ１６）。
【００２４】
さらに、データ処理手段２１は、印刷データから抽出した文字コードデータ及び文字印刷条件データに対応するフォント画像データを一文字単位で生成し、生成した一文字単位のフォント画像データを、同一のフォント画像データと重複しないように記憶装置３のフォント画像記憶部３４に記憶する（図２のＳ１７）。
すなわち、文字コード（文字種）、フォント、大きさ及び形状が同じフォント画像データは、同一な一データとして扱い、先に同一のフォント画像データが記憶されている場合は、その後の同一フォント画像データの記憶処理をスキップすることにより、フォント画像データの記憶量を削減することが可能になる。
【００２５】
また、データ処理手段２１は、文字コードデータ及び文字印刷条件データに対応するフォント画像データを生成して記憶装置３のフォント画像記憶部３４に記憶するにあたり、一文字単位のフォント画像データを、その文字コード、フォント、大きさ及び形状をもとに並び換えて記憶装置３のフォント画像記憶部３４に記憶する。これにより、検査装置５の検査データ問い合わせ手段５２が、記憶装置３のフォント画像記憶部３４から対応するフォント画像データを検索して読み込むにあたり、検索を高速化してフォント画像データの読み込み時間を短縮できる。
そして、以上のデータ処理ステップは、印刷データがなくなるまで繰り返される（図２のＳ１８）。
【００２６】
一方、検査装置５では、画像入力装置４から画像入力があれば、検査管理番号認識手段５１において画像入力処理を行うとともに（図３のＳ２１）、記憶装置３の検査処理記憶部３１から検査管理番号の認識処理に必要な情報を読み出し、検査管理番号の認識処理を行う（図３のＳ２２）。そして、検査管理番号の認識結果は、検査データ問い合わせ手段５２に与えられる。
検査データ問い合わせ手段５２は、認識した検査管理番号を記憶装置３の検査管理番号記憶部３２において検索し（図３のＳ２３）、登録の有無を判断する（図３のＳ２４）。ここで、検査管理番号が登録されていれば、記憶装置３の検査データ記憶部３３から検査データ（印刷位置データ、文字コードデータ及び文字印刷条件データ）を読み出すとともに、文字コードデータ及び文字印刷条件データに対応するフォント画像データを記憶装置３のフォント画像記憶部３４から読み出し、これらの読み出したデータを検査手段５３に与える（図３のＳ２５）。
検査手段５３は、与えられた印刷位置データ、文字コードデータ、文字印刷条件データ及びフォント画像データを用いて、印刷物の画像データを検査し（図３のＳ２６）、検査結果を出力装置６に表示させる（図３のＳ２７）。
そして、以上の検査処理ステップは、印刷物の画像データがなくなるまで繰り返される（図３のＳ２８）。
【００２７】
次に、本実施形態の印刷検査システムによる印刷検査の具体例について、図４及び図５を参照して説明する。
図４は、本発明の第一実施形態に係る印刷検査システムで扱われる印刷データの具体例を示す説明図、図５は、本発明の第一実施形態に係る印刷検査システムで扱われる画像データの具体例を示す説明図である。
データ処理装置２のデータ処理手段２１は、印刷データを入力すると、検査管理番号の印刷位置データ”（１０，１０）”などを記憶装置３の検査処理記憶部３１に記憶する。
次に、データ処理手段２１は、印刷データから抽出した検査管理番号”ＹＨＮ−ＫＬＭＨ−０００１＃”を記憶装置３の検査管理番号記憶部３２に記憶する。
次に、データ処理手段２１は、検査対象の印刷位置データ”（２００，５０）”、文字コードデータ”３，９４０”及び文字印刷条件データ（フォント”ゴシック”、大きさ”１０ポイント”、形状”太字”）を抽出し、これらを検査データとして記憶装置３の検査データ記憶部３３に記憶する。
さらに、データ処理手段２１は、文字コードデータ”３，９４０”及び文字印刷条件データ（フォント”ゴシック”、大きさ”１０ポイント”、形状”太字”）対応するフォント画像データを一文字単位で生成し、生成した一文字単位のフォント画像データを、同一のフォント画像データと重複しないように記憶装置３のフォント画像記憶部３４に記憶する。
また、データ処理手段２１は、文字コードデータ及び文字印刷条件データに対応するフォント画像データを生成して記憶装置３のフォント画像記憶部３４に記憶するにあたり、一文字単位のフォント画像データを、その文字コード、フォント、大きさ及び形状をもとに並び換えて記憶装置３のフォント画像記憶部３４に記憶する。
【００２８】
一方、検査装置５の検査管理番号認識手段５１は、画像入力装置４から画像入力を行い、記憶装置３の検査処理記憶部３１から検査管理番号の認識処理に必要な情報 （印刷位置データ”（１０，１０）”）を読み出す。
次に、検査管理番号認識手段５１は、画像データにおける検査管理番号の印刷位置で識別処理を行い、その認識結果である検査管理番号”ＹＨＮ−ＫＬＭＨ−０００１＃”が記憶装置３の検査管理番号記憶部３２に登録されているか否かを確認する。
認識した検査管理番号”ＹＨＮ−ＫＬＭＨ−０００１＃”が記憶装置３の検査管理番号記憶部３２に登録されている場合は、検査データ問い合わせ手段５２が検査管理番号”ＹＨＮ−ＫＬＭＨ−０００１＃”に関連付けられた検査データ（印刷位置データ”（２００，５０）”、文字コードデータ”３，９４０”及び文字印刷条件データ（フォント”ゴシック”、大きさ”１０ポイント”、形状”太字”））を記憶装置３の検査データ記憶部３３から読み込むとともに、検査データに対応したフォント画像データを記憶装置３のフォント画像記憶部３４から読み込み、検査手段５３に与える。
検査手段５３は、これらの検査データやフォント画像データを用いて、印刷物の画像データを検査し、その結果を出力装置６に出力する。
【００２９】
以上のような本実施形態の印刷検査システム（印刷検査方法）によれば、データ処理装置２が、検査対象である印刷物の印刷データをデータ入力装置１から入力し、入力した印刷データから印刷位置データ、文字コードデータ及び文字印刷条件データを抽出し、印刷データから抽出した印刷位置データ、文字コードデータ及び文字印刷条件データを記憶装置３に記憶し、印刷データから抽出した文字コードデータ及び文字印刷条件データに対応するフォント画像データを一文字単位で生成し、生成した一文字単位のフォント画像データを、同一のフォント画像データと重複しないように記憶装置３に記憶する。
一方、検査装置５は、検査対象である印刷物の画像データを画像入力装置４から入力し、入力した画像データに係る印刷位置データ、文字コードデータ及び文字印刷条件データと、この文字コードデータ及び文字印刷条件データに対応するフォント画像データを記憶装置３から入力し、入力した印刷位置データ、文字コードデータ、文字印刷条件データ及びフォント画像データを用いて、印刷物の画像データを検査する。
このような印刷検査システムによれば、印刷データから抽出した文字コードデータ及び文字印刷条件データに対応するフォント画像データを生成し、生成したフォント画像データを用いて、印刷物の画像データを検査するものでありながら、同一フォント画像データの重複記憶を回避し、フォント画像データの記憶量を大幅に削減することができる。
【００３０】
また、文字印刷条件データは、印刷する文字のフォント、大きさ及び形状に係る印刷条件を含み、データ処理装置は、文字印刷条件データに含まれるフォント、大きさ及び形状に係る印刷条件が満たされるフォント画像データを一文字単位で生成するので、フォント、大きさ及び形状が適合したフォント画像データを用いて、精度の高い印刷検査を行うことができる。
また、このような各種の印刷条件に対応したフォント画像データを生成すると、生成されるフォント画像データの量が膨大になる可能性があるが、生成したフォント画像データを、同一のフォント画像データと重複しないように記憶装置３に一文字単位で記憶することにより、フォント画像データの記憶量が大幅に削減されるので、本発明の効果がより顕著になる。
【００３１】
また、データ処理装置２は、生成したフォント画像データを一文字単位で記憶装置３に記憶するにあたり、一文字単位のフォント画像データを、その文字コード、フォント、大きさ及び形状をもとに並び換えて記憶するので、検査装置５が、記憶装置３から対応するフォント画像データを検索して読み込むにあたり、検索を高速化してフォント画像データの読み込み時間を短縮できる。
【００３２】
また、データ処理装置２は、入力した印刷データから検査管理番号（印刷物識別番号＋ページ識別番号）、印刷位置データ、文字コードデータ及び文字印刷条件データを抽出し、印刷データから抽出した印刷位置データ、文字コードデータ及び文字印刷条件データを、検査管理番号に関連付けて記憶装置３に記憶し、検査装置５は、入力した画像データに含まれる検査管理番号を認識し、認識した検査管理番号に関連付けされた、印刷位置データ、文字コードデータ及び文字印刷条件データと、この文字コードデータ及び文字印刷条件データに対応するフォント画像データを記憶装置３から入力するので、検査対象の誤認や検査データの入れ違いによる誤検査を防止できる。
【００３３】
さらに、データ処理装置２は、検査対象である印刷物の印刷データから抽出した印刷位置データ、文字コードデータ及び文字印刷条件データと、この文字コードデータ及び文字印刷条件データに対応するフォント画像データを予め記憶装置３に記憶し、検査装置５は、検査対象である印刷物の画像データに係る印刷位置データ、文字コードデータ、文字印刷条件データ及びフォント画像データを任意のタイミングで記憶装置３から読み込むので、検査データ待ちの時間を無くして印刷検査の効率を向上させることができるだけでなく、検査装置５の台数、処理能力などの変更や変化に柔軟に適応することができる。
【００３４】
［第二実施形態］ 
次に、本発明の第二実施形態に係る印刷検査システムについて、図６を参照して説明する。なお、上述した第一実施形態と共通の構成については、共通の符号を付すことにより、第一実施形態の説明を援用する。
図６は、本発明の第二実施形態に係る印刷検査システムの構成を示すブロック図である。
【００３５】
この図に示すように、第二実施形態に係る印刷検査システムは、検査装置５にバーコード入力装置７が接続され、かつ、検査装置５がバーコード判定手段５４を備える点が前記実施形態と相違している。
具体的に説明すると、印刷物には、検査管理番号がバーコードで印刷されており、バーコード入力装置７は、印刷物に印刷されたバーコードを読み取る。
バーコード判定手段５４は、バーコード入力装置７から入力した読み取りデータを検査管理番号として検査データ問いわせ手段５２へ出力し、以降は前記実施形態と同じ動作を行う。
【００３６】
このような本実施形態の印刷検査システムによれば、上述した第一実施形態と同様の作用効果に加えて、検査管理番号をバーコードで印刷することにより、検査管理番号認識手段５１による検査管理番号の文字認識処理が不要になるとともに、検査管理番号の読み取り性能を向上させることができる。
【産業上の利用可能性】
【００３７】
本発明は、印刷物の検査を行う印刷検査システム及び印刷検査方法に適用される。特に、クレジットカードの利用明細書などのような大量の印刷物を対象とする大規模な印刷検査に適した印刷検査システム及び印刷検査方法を提供することができる。
【図面の簡単な説明】
【００３８】
【図１】本発明の第一実施形態に係る印刷検査システムの構成を示すブロック図である。
【図２】本発明の第一実施形態に係る印刷検査システムのデータ処理手順を示すフローチャートである。
【図３】本発明の第一実施形態に係る印刷検査システムの検査処理手順を示すフローチャートである。
【図４】本発明の第一実施形態に係る印刷検査システムで扱われる印刷データの具体例を示す説明図である。
【図５】本発明の第一実施形態に係る印刷検査システムで扱われる画像データの具体例を示す説明図である。
【図６】本発明の第二実施形態に係る印刷検査システムの構成を示すブロック図である。
【符号の説明】
【００３９】
１  データ入力装置
２  データ処理装置
３  画像入力装置
３  記憶装置
４  画像入力装置
５  検査装置
６  出力装置
７  バーコード入力装置
【図１】
2009152851.tif 000003
【図２】
2009152851.tif 000004
【図３】
2009152851.tif 000005
【図４】
2009152851.tif 000006
【図５】
2009152851.tif 000007
【図６】
2009152851.tif 000008